(57)【要約】【課題】作業効率がよく、対象地盤深度の試料土を確実に採取することができるサンプリング装置及び同サンプリング装置付柱状改良装置を提供する。【解決手段】両端部が開放した管状体３で、管状体３内部に設けられた仕切り板４が管状体３内部の一方の端部からもう一方の端部の間を移動可能である。  サンプリング装置１は、ロッド１１を回転する際、ロッド１１の正回転方向側とは反対側に仕切り板４が移動し、ロッド１１の回転方向側が開口し、地盤を攪拌するためにロッド１１を回転させると、ロッド１１の回転方向側から試料土７が管状体３内に入り込んでくるが、試料土７を採取する深度で、ロッド１１を逆回転させることで、逆回転側から試料土７が管状体３内に入り込むに従い正回転側に入っている試料土７を後方へ押し出しながら仕切り板４を移動させ、正回転時に管状体３内に採取されていた試料土７は排出され、必要な深度の試料土７が管状体内に採取される。【選択図】    図１
2010138575.tif 000002
【特許請求の範囲】
【請求項１】
地盤試料を採取するサンプリング装置であって、両端部が開放した管状体からなり、該管状体内部に設けられた仕切り板が該管状体内部の一方の端部からもう一方の端部の間を移動可能であることを特徴とするサンプリング装置。
【請求項２】
前記サンプリング装置が攪拌翼に取り付けられている柱状改良装置。
【発明の詳細な説明】
【技術分野】
【０００１】
本発明は、地盤試料を採取するサンプリング装置に関する。
【背景技術】
【０００２】
建物の沈下を防止する対策のひとつとして、基礎下の地盤を改良する柱状改良工法が一般的に行われている。柱状改良工法とは、セメント系固化材をスラリーとして地盤に注入し、地盤とスラリーを攪拌混合することにより改良体を築工する工法である。この柱状改良工法において、土の共廻り防止翼を装着した攪拌混合装置を用いることによって粘着力の大きい粘性土地盤においても固化材と地盤とを確実かつ良好に攪拌混合できる。
【０００３】
【特許文献１】特開平１１−１４０８５８号公報
【発明の開示】
【発明が解決しようとする課題】
【０００４】
しかし、柱状改良後に地盤とスラリーが十分混合しているか確認するため、対象深度から試料土を採取し、モールドに詰めて供試体を作成する必要がある。
【０００５】
試料土の採取方法は、柱状改良の施工後にロッド先端部の攪拌翼を試料土サンプリング用ロッドに交換してサンプリングする方法や、ロッド先端部の攪拌翼にサンプリング装置を装着し柱状改良の施工と同時に試料土を採取する方法などがある。
【０００６】
前者の方法では、一旦ロッドを地上に引き抜いてロッド先端部の攪拌翼を試料土サンプリング用ロッドに交換する必要があるため、作業効率が悪い。また、後者では、サンプリング装置は図５に示すように、ロッドを回転して地盤を攪拌するときのロッドの回転方向側とは反対側が開口しており、地盤を攪拌するためにロッドを進行方向に回転しているときは、試料土はサンプリング装置内に入ってこないが、ロッドを逆回転したときには、サンプリング装置開口部より試料土が入り込み、必要な深度の試料土が採取できるようになっている。しかし、実際はロッドを進行方向に回転しているときであっても、攪拌された地盤からこぼれ落ちた試料土がサンプリング装置内に入り込んでしまい、適切な試料土の採取が難しい。
【０００７】
本発明は、以上のような問題点に鑑み、作業効率がよく、対象地盤深度の試料土を確実に採取することができるサンプリング装置及び同サンプリング装置付柱状改良装置を提供することを課題とする。
【課題を解決するための手段】
【０００８】
上記の課題は、地盤試料を採取するサンプリング装置であって、両端部が開放した管状体からなり、該管状体内部に設けられた仕切り板が該管状体内部の一方の端部からもう一方の端部の間を移動可能であることを特徴とするサンプリング装置及びこのサンプリング装置が攪拌翼に取り付けられている柱状改良装置により解決される。
【０００９】
このサンプリング装置では、管状体内部に設けられた仕切り板が管状体内部の一方の端部からもう一方の端部の間を移動可能であるため、ロッドを回転する際、ロッドの正回転方向側とは反対側に仕切り板が移動し、ロッドの回転方向側が開口しているため、地盤を攪拌するためにロッドを回転させると、ロッドの正回転方向側から試料土が管状体内に入り込んでくるが、試料土を採取する深度で、ロッドを逆回転させることで、逆回転側から試料土が管状体内に入り込むに従い正回転側に入っている試料土を後方へ押し出しながら仕切り板を移動させ、正回転時に管状体内に採取されていた試料土は排出され、必要な深度の試料土が管状体内に採取される。
【００１０】
特に、仕切り板が管状体内を一方の端部からもう一方の端部まで移動可能であるため、試料を採取する深度に達するまでに管状体内に入っていた試料土は、ロッドが逆回転されると、仕切り板の移動に伴って外部に完全に排出されるので、必要な深度の試料土だけを確実に採取することができる。
【００１１】
さらに、管状体と管状体内を移動可能に仕切る仕切り板だけで構成されており、試料土の採取もロッドの回転方向を逆回転させるだけで実現することがきるので、試料土の採取を簡易に低コストで実現することができる。
【発明の効果】
【００１２】
本発明は以上のとおりであるから、作業効率がよく、必要な地盤深度の試料土を確実に採取することができるサンプリング装置及び同サンプリング装置付柱状改良装置を提供することができる。
【発明を実施するための最良の形態】
【００１３】
次に、本発明の実施最良形態を図面に基づいて説明する。
【００１４】
図１に示すサンプリング装置１において、２はサンプリング装置本体部、８は柱状改良装置の攪拌翼に固定するためのアタッチメント、９はサンプリング装置本体部２とアタッチメント８とを連結する連結部である。柱状改良装置は回転しながら地中方向に進退出するため、サンプリング装置本体部２の開口がサンプリング装置本体部の進行方向を向くように、サンプリング装置本体部２はアタッチメント８に対して傾斜して取り付けられている。
【００１５】
サンプリング装置本体部２は、図２に示すように、中空の円筒管からなる管状体３と、管状体３の内径と同断面若しくは少し径の小さい断面の板材の仕切り板４とからなる。仕切り板４の断面が管状体３の内径と同断面若しくは少し径の小さい断面とすることで、試料土が管状体３の内径壁面と仕切り板４との間に引き込まれることなく、仕切り板４は管状体３の内部を円滑に水平移動することができる。また、仕切り板４の外周側両面には仕切り板４が管状体３内を傾倒することなく円滑に水平移動できるように環状体４ａ、４ａが取り付けられ、図２（ニ）、（ホ）に示すように管状体３内部を仕切り管状体３の一方の端部からもう一方の端部まで移動可能である。なお、５は仕切り板４が管状体３の端部から抜け出さないための止め具であって、管状体３の両端部にそれぞれ複数個取り付けられている。
【００１６】
このサンプリング装置１による試料土の採取は、次の手順に従って行われる。図３に示すように、サンプリング装置１が地盤中を正方向（以下、本説明において図中右側を正方向、同左側を逆方向とする。）に進むと、管状体２の右端部側より採取する必要のない試料土７ａが採取される。試料土７ａが採取されるに従って、管状体２内部は試料土７ａで充填され、図３（ロ）、（ハ）に示すように試料土７ａにより仕切り板４が左側方向へ移動し、図３（ニ）に示すように、仕切り板４は管状体３内左端部へ移動し、管状体３内部は試料土７ａで充填される。
【００１７】
管状体３内部に試料土７ａが充填されると、サンプリング装置１がさらに正方向に移動しても、管状体３内にさらに試料土７ａが採取されることはない。
【００１８】
採取すべき試料土７ｂがある対象深度まで達した後、図３（ホ）に示すように、サンプリング装置１を逆方向に進行させる。サンプリング装置１が地盤中を逆方向に進むと、管状体２の左端部側より試料土７ｂが採取される。試料土７ｂが管状体３左側端部より採取されるに従って、図３（ヘ）、（ト）に示すように管状体２左端部側より取り込まれた試料土７ｂにより、仕切り板４は右方向へ押され、すでに管状体３内に採取されていた仕切り板４右側にある試料土７ａは、管状体２の右端部側より外部に排出される。そして、図３（チ）に示すように、仕切り板４は管状体３内右端部へ移動し、管状体３内部は試料土７ｂで充填される。
【００１９】
以上のように、サンプリング装置１は対象深度で逆方向へ移動させることで、管状体２内に採取されていた試料土７ａは排出され、対象深度の試料土７ｂが管状体２内に採取される。
【００２０】
特に、仕切り板が管状体内を一方の端部からもう一方の端部まで移動可能であるため、試料を採取する深度に達するまでに管状体内に入っていた試料土は、サンプリング装置が逆方向に移動すると、仕切り板の移動に伴って完全に外部に排出されるので、必要な深度の試料土だけを確実に採取することができる。
【００２１】
さらに、管状体と管状体内を移動可能に仕切る仕切り板だけで構成されており、試料土の採取もロッドの回転方向を逆回転させるだけで実現することがきるので、試料土の採取を簡易に低コストで実現することができる。
【００２２】
図４に示すのは、サンプリング装置１を取り付けた柱状改良装置１０である。
【００２３】
ロッド１０の先端部には、地盤面を掘削する掘削刃１３、ロッド１０の先端側には地盤面を攪拌する攪拌翼１４，１４，１４が取り付けられている。攪拌翼１４の一つにはサンプリング装置１がアタッチメント８を介して掘削刃１４に取り付けられている。なお、ロッドの基端部側の１２は外部駆動機械と接続するアタッチメントである。
【００２４】
柱状改良装置１０の攪拌翼１４のひとつにサンプリング装置が取り付けられており、柱状改良の施工後にロッド先端部の攪拌翼を試料土サンプリング用ロッドに交換することなく、柱状改良の施工後、ロッドを逆回転させることで、サンプリング装置の逆回転側の端部から必要深度の試料土を採取することができる。しかも、逆回転側から試料土が管状体内に入り込むに従い正回転側に入っている試料土を後方へ押し出しながら仕切り板を移動させ、正回転時に管状体内に採取されていた試料土は排出され、必要な深度の試料土が管状体内に採取される。
【００２５】
特に、仕切り板が管状体内を一方の端部からもう一方の端部まで移動可能であるため、試料を採取する深度に達するまでに管状体内に入っていた試料土は、ロッドが逆回転されると、仕切り板の移動に伴って外部に完全に排出されるので、必要な深度の試料土だけを確実に採取することができる。
【００２６】
以上に、本発明の実施形態を示したが、本発明はこれに限られるものではなく、発明思想を逸脱しない範囲で各種の変更が可能である。例えば、上記の実施形態では、サンプリング装置は管状体をしている場合について示したが、サンプリング装置の形状に特に限定はなく、断面視方形であってもよいし、断面視多角形であってもよい。
【００２７】
また、上記の実施形態では、サンプリング装置を正方向に進めた時に、正方向側の端部から管状体内部に試料土が採取され、管状体内部が試料土で充填されてから、サンプリング装置を逆方向に進める場合について示したが、サンプリング装置が正方向に進める場合、管状体内部が試料土で充填されるまでサンプリング装置を正方向に進める必要ななく、サンプリング装置が試料土を採取する所定の深度、若しくは柱状改良の施工が完了した段階で、サンプリング装置を逆方向に進めればよい。
【図面の簡単な説明】
【００２８】
【図１】本発明の実施形態であるサンプリング装置を示す斜視図である。
【図２】図（イ）はサンプリング装置の管状体の側面図、図（ロ）は同断面正面図、図(ハ)は管状体内部の仕切り板を示す斜視図、図（ニ）（ホ）は管状体内部を仕切り板が移動する状況を示す正面図である。
【図３】図（イ）〜（チ）は、サンプリング装置が試料土を採取する状況を順次説明する断面正面図である。
【図４】サンプリング装置付き柱状改良装置を示す正面図である。
【図５】従来のサンプリング装置を示す断面正面図である。
【符号の説明】
【００２９】
１・・・サンプリング装置
２・・・サンプリング装置本体部
３・・・管状体
４・・・仕切り板
５・・・止め具
７、７ａ、７ｂ・・・試料土
８・・・アタッチメント
９・・・連結部
１０・・・柱状改良装置
【図１】
2010138575.tif 000003
【図２】
2010138575.tif 000004
【図３】
2010138575.tif 000005
【図４】
2010138575.tif 000006
【図５】
2010138575.tif 000007